(57)【特許請求の範囲】
【請求項１】
遊技機の枠に配設された樹脂部材の表面に設けられた凹部に、リトマス試験紙が収容されるリトマス試験紙保持部材を着脱可能に設け、前記樹脂部材の表面に、前記枠の表面に付着した洗浄液を前記凹部へ誘導させる洗浄液誘導溝を設けることを特徴とする遊技機。
【発明の詳細な説明】
【０００１】
【発明の属する技術分野】
本発明は、パチンコ機等の遊技機に関するもので、特に、枠に樹脂成形部品を配設した遊技機に関する。
【０００２】
【従来の技術】
周知のように、遊技機には多数の樹脂成形部品が使用されており、例えば、図６に示すように、パチンコ機１の枠の正面には、上受け皿セット４、下受け皿セット２等の樹脂成形部品が配設されている。これらの樹脂成形部品には、成形精度が高く、見映えのするＡＢＳ樹脂（アクリロニトリル−ブタジエン−スチレン樹脂）が一般に用いられている。そして、このＡＢＳ樹脂は耐薬品性に劣るため、遊技機の製造業者により、中性洗剤を用いて清掃することが推奨されている。
【０００３】
しかしながら、ホールの営業終了後に行われる遊技機の清掃は、一般にはホール（営業者）が委託した清掃業者により行われており、当該清掃業者は、洗浄力の強力な酸性或いは塩基性の洗剤を使用して清掃しているのが実情である。特に、下受け皿セット２の灰皿６（図６参照）の周囲は、除去しずらい汚れが付着していることが多いため、他の部位と比較して多量の洗剤に晒されることになる。そして、下受け皿セット２等を形成するＡＢＳ樹脂は、強力な洗剤で繰り返し清掃されることにより、黄変してパチンコ機（遊技機）１の美観を損ねると共に、機械的剛性や耐衝撃性が低下することで応力が集中する螺子止めされている部分等にクラックを生じてしまう恐れがある。
【０００４】
このような事態は、製造業者が推奨する中性洗剤を用いることで回避できるが、ホール（営業者）は清掃業者がどのような性質（ＰＨ濃度）の洗剤を用いて清掃しているか関知していないことが多く、また、清掃業者は、中性洗剤では除去しずらい汚れも容易に落とせることから、酸性或いは塩基性の強力な洗浄液を用いて遊技機を清掃していることが多かった。したがって、強力な洗剤を繰り返し使用して樹脂成形部品が破損した場合であっても、ホール或いは製造業者は、破損の原因を特定することが難しく、対策を講ずることができなかった。
【０００５】
【発明が解決しようとする課題】
そこで本発明は、上記事情に鑑みてなされたもので、清掃に使用された洗剤のＰＨ濃度を検知して、樹脂成形部品の破損を未然に回避すると共に、強力な洗剤を繰り返し使用して樹脂成形部品が破損した場合であっても、その原因を特定して速やかに対策を講ずることができる遊技機を提供することを目的とする。
【０００６】
【課題を解決するための手段】
上記目的を達成するために、本発明のうち請求項１に記載の発明は、遊技機の枠に配設された樹脂部材の表面に設けられた凹部に、リトマス試験紙が収容されるリトマス試験紙保持部材を着脱可能に設け、樹脂部材の表面に、枠の表面に付着した洗浄液を凹部へ誘導させる洗浄液誘導溝を設けることを特徴とする。
したがって、請求項１に記載の発明では、遊技機の枠の表面に付着した洗浄液が、洗浄液誘導溝に誘導されて凹部に流入して、リトマス試験紙保持部材に収容されたリトマス試験紙に浸透される。
【０００７】
【発明の実施の形態】
本発明の一実施の形態の遊技機を図１ないし図６に基づいて説明する。まず、本実施の形態の遊技機としてのパチンコ機１（図６参照）の概略を説明する。本実施の形態のパチンコ機１は、図１に示すように、下受け皿セット（樹脂部材）２の清掃時に洗浄液（洗剤）が付着し易く、且つ遊技者から目立たないような位置に、リトマス試験紙３を配設した。これにより、リトマス試験紙３に、パチンコ機１の清掃の際に使用された洗浄液が浸透し、該リトマス試験紙３の色の変化を判別することで、洗浄液のＰＨ濃度を検知する構造になっている。
【０００８】
次に、本実施の形態の遊技機（パチンコ機１）を詳細に説明する。図６に示すように、パチンコ機１の内枠には、発射装置（図示せず）に供給するための遊技球を溜めておく上受け皿セット４、賞球払出装置（図示せず）により払い出された遊技球を留めておく下受け皿セット２並びに所定方向に回転させることで発射装置により上記上受け皿セット４の遊技球が順次遊技盤の遊技領域に発射されるハンドルグリップ５等の樹脂部材が配設されている。
【０００９】
また、下受け皿セット２には、灰皿６が着脱自在に設置される灰皿取付部７が形成されており、図３に示すように、該灰皿取付部７の側面７ａと下受け皿部８の内側面８ａとには断面が略コの字状の凹部９が設けられている。そして、本実施の形態のパチンコ機１は、図１に示すように、これら凹部９にリトマス試験紙３を保持したリトマス試験紙保持部材１０（図２参照）を配設する構造になっている。
【００１０】
上記リトマス試験紙保持部材１０は、図２に示すように、所要の可撓性を備えたプレート状の合成樹脂で形成されており、その両側面には、凹部９の側壁面９ａに形成された係合孔１１（図３参照）に係合させる係止爪１０ａが突設されている。また、リトマス試験紙保持部材１０には、正面１０ｂと裏面１０ｃとの間に、上面１０ｄに開口部１０ｅを備えたリトマス試験紙収納部１０ｆが形成されており、リトマス試験紙３を該開口部１０ｅから挿入することでリトマス試験紙収納部１０ｆに収納する構造になっている。
【００１１】
また、リトマス試験紙保持部材１０は、リトマス試験紙収納部１０ｆの前方に、透明度が高く耐薬品性に優れた樹脂で構成した窓部１４を備えており、該窓部１４により、リトマス試験紙収納部１０ｆに収納されたリトマス試験紙３の状態（色）が確認できる構造になっている。そして、リトマス試験紙保持部材１０は、開口部１０ｅを上に向けて一側の係止爪１０ａを凹部９の対応する係合孔１１に係合させると共に、当該部材１０を撓ませるようにして他側の係止爪１０ａを凹部９の対応する係合孔１１に係合させることにより、下受け皿セット２の表面から突出することなく凹部９に着脱可能に取付けられる構造になっている。
【００１２】
なお、リトマス試験紙保持部材１０の上面１０ｄと凹部９の側壁面９ａとの間には所要間隔の間隙が形成されており、清掃の際に下受け皿セット２に付着した洗浄液（洗剤）が流下して、該間隙からリトマス試験紙収納部１０ｆの開口部１０ｅに流入することで、該リトマス試験紙収納部１０ｆに収納されたリトマス試験紙３に到達する構造になっている。また、図４に示すように、下受け皿セット（樹脂部材）２の灰皿取付部７の側面７ａに、凹部９に連通させた溝（洗浄液誘導溝）１２を設けることで、灰皿取付部７の側面７ａを流下する洗浄液をリトマス試験紙３が収容された凹部９へ誘導するように構成してもよい。
【００１３】
また、図５に示すように、リトマス試験紙保持部材１０の窓部１４にスリット１３を設けることで、スプレーされた洗浄液が直接リトマス試験紙３に浸透するように構成してもよい。なお、リトマス試験紙保持部材１０を凹部９から取外す場合には、リトマス試験紙保持部材１０の両側に形成された切欠部１５（図２及び図５参照）にマイナスドライバの先端を挿入して抉ることで容易に取外すことができる構造になっている。
【００１４】
このような構成において、本実施の形態の遊技機の作用を説明する。まず、リトマス試験紙３をパチンコ機１に設置する際の作用を説明する。リトマス試験紙３をパチンコ機１に設置する際には、まず、リトマス試験紙３を、リトマス試験紙保持部材１０の上面１０ｄに形成された開口部１０ｅから挿入してリトマス試験紙保持部材１０に収納する。そして、該開口部１０ｅを上に向けるようにして、リトマス試験紙保持部材１０の一側の係止爪１０ａを下受け皿セット（樹脂部材）２に設けられた凹部９の対応する係合孔１１に係合させると共に、当該リトマス試験紙保持部材１０を撓ませるようにして他側の係止爪１０ａを凹部９の対応する係合孔１１に係合させる。
【００１５】
これにより、リトマス試験紙３は、リトマス試験紙保持部材１０の窓部１４から視認可能な状態で下受け皿セット（樹脂部材）２に設置されることになる。また、リトマス試験紙保持部材１０は下受け皿セット２に形成した凹部に収納されることにより、当該リトマス試験紙保持部材１０が下受け皿セット２の表面から突出することがなく、且つ灰皿取付部７に設置したリトマス試験紙３は灰皿６を設置することで隠れてしまうため、パチンコ機１の美観を損ねることがなく、また、遊技者等に違和感を与えてしまうようなこともない。
【００１６】
次に、リトマス試験紙３により、下受け皿セット（樹脂部材）２の清掃に使用された洗浄液のＰＨ濃度を検知する作用を説明する。パチンコ機１を清掃する際には、清掃作業者により、まず、下受け皿セット２から灰皿６が取り外される。これにより、図１に示すように、灰皿取付部７の凹部９に設置されたリトマス試験紙保持部材１０が現れて、その窓部１４（図２参照）からはリトマス試験紙３が視認可能な状態となる。そして、清掃作業者は、上受け皿セット４、下受け皿セット２等に洗浄液（洗剤）をスプレーし、特に、汚れの度合いが大きい灰皿６の周辺には、他の部位よりも多くの洗浄液がスプレーされる。
【００１７】
また、下受け皿セット（樹脂部材）２に付着した洗浄液（洗剤）は流下して、その一部がリトマス試験紙保持部材１０の上面１０ｄと凹部９の側壁面９ａとの間の間隙からリトマス試験紙収納部１０ｆの開口部１０ｅに流入し、該リトマス試験紙収納部１０ｆに収納されたリトマス試験紙３に浸透する。そして、使用された洗浄液が酸性であった場合には、リトマス試験紙３は赤色よりに変色し、また、洗浄液が塩基性であった場合には、リトマス試験紙３は青色よりに変色する。なお、洗浄液が中性の溶液であった場合には、リトマス試験紙３の色に変化はない。
【００１８】
また、図４に示すように、下受け皿セット（樹脂部材）２の灰皿取付部７の側面７ａに凹部９に連通させた溝（洗浄液誘導溝）１２を設けることで、より多くの洗浄液（洗剤）をリトマス試験紙３が収容された凹部９へ誘導することができる。さらに、図５に示すように、リトマス試験紙保持部材１０の窓部１４にスリット１３を設けることで、スプレーされた洗浄液が直接リトマス試験紙３に付着して浸透し、スプレーされた洗浄液（洗剤）が少量であっても、使用された洗浄液のＰＨ濃度を検知することが可能となる。
【００１９】
したがって、本実施の形態の遊技機は、パチンコ機１の内枠に配設された下受け皿セット（樹脂部材）２にリトマス試験紙３を設置したことにより、ホール（営業者）或いは製造業者は、該リトマス試験紙３の色の変化を判別することで清掃の際に使用された洗浄液のＰＨ濃度を検知することができる。そして、酸性或いは塩基性の強力な洗浄液（洗剤）が使用されていた場合には、推奨された洗浄液を使用するように清掃業者或いはホール（営業者）を指導することで、遊技機に配設された樹脂部材の変色や破損を未然に防ぐことができる。また、強力な洗剤を繰り返し使用して、例えば樹脂部材が破損した場合であっても、原因を特定して速やかに対策を講ずることができる。
【００２０】
また、下受け皿セット（樹脂部材）２に、リトマス試験紙保持部材１０を収納する凹部９に連通させた溝（洗浄液誘導溝）１２を設けたことにより、下受け皿セット２に付着した洗浄液をリトマス試験紙３が収容された凹部９へ誘導させることができる。さらに、リトマス試験紙保持部材１０の窓部１４にスリット１３を設けることで、下受け皿セット２（樹脂部材）にスプレーされた洗浄液を直接リトマス試験紙３に浸透させることができ、スプレーされる洗浄液が少量であっても、使用された洗浄液のＰＨ濃度を検知することが可能となる。
【００２１】
また、リトマス試験紙３を用いたことで、洗浄液（洗剤）のＰＨ濃度を簡易な構造で検知することができ、コストの上昇を抑制することができる。
【００２２】
【発明の効果】
本遊技機では、パチンコ機の内枠に配設された下受け皿セット（樹脂部材）にリトマス試験紙を設置したので、ホール（営業者）或いは製造業者は、リトマス試験紙の色の変化を判別することで清掃の際に使用された洗浄液のＰＨ濃度を検知することができ、酸性或いは塩基性の強力な洗浄液（洗剤）が使用されていた場合には、推奨された洗浄液を使用するように清掃業者或いはホール（営業者）を指導することで、遊技機に配設された樹脂部材の変色や破損を未然に防ぐことができる。また、強力な洗剤を繰り返し使用して、例えば樹脂部材が破損した場合であっても、原因を特定して再発を防止することができる。
本遊技機では、下受け皿セット（樹脂部材）に、リトマス試験紙保持部材を収納する凹部に連通させた溝（洗浄液誘導溝）を設けたので、下受け皿セットに付着した洗浄液をリトマス試験紙が収容された凹部へ誘導することができる。
本遊技機では、リトマス試験紙を用いたので、清掃に使用された洗浄液（洗剤）のＰＨ濃度を簡易な構造で検知することができ、コストの上昇を抑制することができる。
【図面の簡単な説明】
【図１】本実施の形態の遊技機の説明図で、特に、パチンコ機の内枠に配設した下受け皿セット（樹脂部材）にリトマス試験紙保持部材が設置された状態を示す斜視図である。
【図２】本実施の形態の遊技機のリトマス試験紙保持部材の説明図で、特に、リトマス試験紙収納部にリトマス試験紙を収納した状態を示す図である。
【図３】本実施の形態の遊技機の説明図で、特に、下受け皿セット（樹脂部材）に配設されてリトマス試験紙保持部材が取付される凹部を示す図である。
【図４】本実施の形態の遊技機の説明図で、特に、下受け皿セット（樹脂部材）に付着した洗浄液（洗剤）をリトマス試験紙が収容された凹部へ誘導するための溝（洗浄液誘導溝）を示した図である。
【図５】本実施の形態のリトマス試験紙保持部材の説明図で、特に、窓部にスリットを設けた状態を示す図である。
【図６】パチンコ機の枠の正面を示す斜視図である。
【符号の説明】
１          パチンコ機（遊技機）
２          下受け皿セット（樹脂部材）
３          リトマス試験紙
１２        溝（洗浄液誘導溝）
【図１】
0003564661.tif 000002
【図２】
0003564661.tif 000003
【図３】
0003564661.tif 000004
【図４】
0003564661.tif 000005
【図５】
0003564661.tif 000006
【図６】
0003564661.tif 000007